(57)【特許請求の範囲】
【請求項１】
相対回動が可能な２つの腕部と、一方の腕部の回動中心周りに固定された固定歯と、他方の腕部の回動中心周りで前記固定歯と噛合し、該固定歯と接離する方向への移動が可能な可動歯と、該可動歯を付勢する弾性体と、該弾性体の付勢力に打ち勝って前記可動歯を移動させるレバーとを備えた布団バサミにおいて、前記可動歯及び固定歯は、前記弾性体に付勢されて可動歯が固定歯側へ接近した状態で前記腕部が閉塞方向へ回動するのを許し、且つ前記腕部が開放方向へ回動するのを制限する歯形であることを特徴とする布団バサミ。
【請求項２】
前記可動歯はラチェット歯形である請求項１記載の布団バサミ。
【請求項３】
前記可動歯は環状をなしており、前記レバーは前記回動中心周りに回動可能に支持され、且つ前記可動歯の軸線方向一側と係合する係合部を有する環部と、該環部の径方向一側に連なる操作部とを有し、一方の腕部又は他方の腕部は前記操作部を収容する凹部を有する請求項１又は２記載の布団バサミ。
【請求項４】
前記可動歯の軸線方向一側は周方向に離間して複数の凹部又は凸部を有し、前記係合部は前記凹部又は凸部と係脱する凸部又は凹部である請求項３記載の布団バサミ。
【請求項５】
前記レバーは、前記操作部と一体的に結合され、該操作部を付勢する弾性板を有する請求項１乃至４の何れか一つに記載の布団バサミ。
【発明の詳細な説明】
【０００１】
【発明の属する技術分野】
本発明は、布団、毛布などの主に寝具を挟持するための布団バサミ、特に、容易に挟持可能であると共に強固な挟持力を発揮できる布団バサミに関するものである。
【０００２】
【従来の技術】
従来、布団、毛布などの比較的広い面積を有する布類（以下、布団等という）を天日干しする場合は、ベランダ、物干し竿などに布団等を掛け、布団バサミを用いてベランダの手摺りにて前記布団等を挟み付けている。前記布団バサミは一般に、一対の腕部が夫々の基端部を枢軸にて回動可能に軸支された構成となっている。また、干された布団等は風の影響により舞い上がって落下する虞があるため、用いる布団バサミは挟持力が比較的強固である必要があり、両腕部を挟持方向へ付勢するためのスプリング等が備えられている。
【０００３】
また、布団等を挟持した後の風の影響による脱落防止を目的とした布団バサミが特開2000-14989に提案されている。該布団バサミは、枢軸により支持される一対の腕部の基端部にラチェット部を備え、両腕部を夫々手で持ち布団等を挟み付けた場合、ラチェット部が前記両腕部を開放方向へ回動することを制限するため、風の影響により布団バサミが脱落し、布団等が落下することがない。更に他にも、腕部先端の形状を大きくし、布団等を挟持する際の両腕部のずれによる挟持力の低下を防止することを目的とする布団バサミが、実公平5-91586 ，実公平6-10959 等にて提案されている。
【０００４】
【発明が解決しようとする課題】
しかし、スプリングにより挟持力を強化する場合、布団バサミを開放するために必要な労力が多大となり、使い勝手が悪くなるという問題がある。特に、高齢者が使用することを考慮した場合、スプリングを用いる挟持力の強化には自ずと限界がある。
【０００５】
また、特開2000-14989に提案されている布団バサミによる場合は、強固に挟持した後は脱落を防止することが可能であるが、強固に挟持すること自体が高齢者にとっては困難な作業であり、実公平5-91586 ，実公平6-10959 等に提案されている布団バサミによる場合は、挟持力を強化するという目的は達成されていない。従って、布団等の挟み付けが容易で強固に挟持可能であり、挟み付けた後は挟持力を維持することができて脱落を防止することができる布団バサミが要望されている。
【０００６】
本発明は、上述したような事情に鑑みてなされたものであり、一方の腕部に固定歯を設け、該固定歯と接離する方向への移動が可能な可動歯と、該可動歯を付勢する第１の弾性体と、該弾性体の付勢力に打ち勝って前記可動歯を移動させるレバーと、該レバーを付勢する第２の弾性体とを備えた構成とすることにより、腕部による挟持力が比較的大きくなる場合においても、挟持状態を維持する部分の破損を防ぐことができるとともに、２つの腕部と該腕部が挟持した対象物との接触抵抗に関係なく可動歯を移動させることができ、さらに、布団バサミの操作性を向上することができる布団バサミを提供することを目的とする。
【０００７】
また、可動歯の一側と係合する係合部を有するレバーを腕部の回動中心周りに支持し、該レバーの操作部を収容する凹部を腕部に設けることにより、レバーの腕部に対する出っ張りをなくすることができる布団バサミを提供することを目的とする。
【０００８】
また、可動歯の一側に複数の凹部又は凸部を設け、該凹部又は凸部と係脱する凸部又は凹部をレバーに設けることにより、可動歯を移動させるための構造を簡単にできる布団バサミを提供することを目的とする。
【０００９】
また、レバーの操作部と一体的に結合された弾性板を設けることにより、組立て作業性を向上できるとともに、弾性板の脱落をなくすることができる布団バサミを提供することを目的とする。
【００１０】
【課題を解決するための手段】
第１発明に係る布団バサミは、相対回動が可能な２つの腕部と、一方の腕部の回動中心周りに固定された固定歯と、他方の腕部の回動中心周りで前記固定歯と噛合し、該固定歯と接離する方向への移動が可能な可動歯と、該可動歯を付勢する弾性体と、該弾性体の付勢力に打ち勝って前記可動歯を移動させるレバーとを備えた布団バサミにおいて、前記可動歯及び固定歯は、前記弾性体に付勢されて可動歯が固定歯側へ接近した状態で前記腕部が閉塞方向へ回動するのを許し、且つ前記腕部が開放方向へ回動するのを制限する歯形であることを特徴とする。
第２発明に係る布団バサミは、前記可動歯はラチェット歯形であることを特徴とする。
【００１１】
従って、第１発明及び第２発明に係る布団バサミによる場合は、腕部による対象物の挟持状態を固定歯と可動歯との噛合によって維持することができるため、腕部による挟持力が比較的大きくなる場合においても、挟持状態を維持する部分の破損を防ぐことができ、耐久性を高めることができる。しかも、レバーを操作することにより２つの腕部に対して可動歯を移動させ、該可動歯と固定歯との噛合を解除することができるため、２つの腕部と該腕部が挟持した対象物との接触抵抗に関係なく可動歯を移動させることができ、比較的小さい操作力でレバーを操作することができ、また、このレバーは第２の弾性体によって自動的に復帰させることができ、布団バサミの操作性を向上できる。
【００１２】
第３発明に係る布団バサミは、第１発明又は第２発明に係る布団バサミにおいて、前記可動歯は環状をなしており、前記レバーは前記回動中心周りに回動可能に支持され、且つ前記可動歯の軸線方向一側と係合する係合部を有する環部と、該環部の径方向一側に連なる操作部とを有し、一方の腕部又は他方の腕部は前記操作部を収容する凹部を有することを特徴とする。
【００１３】
従って、第３発明に係る布団バサミによる場合は、レバーの環部を２つの腕部と同軸的に配置でき、しかも、操作部は腕部の凹部に収容されるため、レバーの腕部に対する出っ張りをなくすることができ、レバーの他物との当接による破損をなくすることができる。
【００１４】
第４発明に係る布団バサミは、第３発明に係る布団バサミにおいて、前記可動歯の軸線方向一側は周方向に離間して複数の凹部又は凸部を有し、前記係合部は前記凹部又は凸部と係脱する凸部又は凹部であることを特徴とする。
【００１５】
従って、第４発明に係る布団バサミによる場合は、可動歯及び環部の一方に複数の凹部を有し、他方に複数の凸部を有する構造であるため、可動歯を移動させるための構造が簡単である。
【００１６】
第５発明に係る布団バサミは、第１乃至第４発明の何れか一つに記載の布団バサミにおいて、前記レバーは、前記操作部と一体的に結合され、該操作部を付勢する弾性板を有することを特徴とする。
【００１７】
従って、第５発明に係る布団バサミによる場合は、レバーを組み込むことにより弾性板を所定の位置に配置することができるため、組立て作業性を向上でき、しかも、弾性板の脱落をなくすることができる。
【００１８】
【発明の実施の形態】
以下、本発明をその実施の形態を示す図面に基づいて詳述する。
図１は布団バサミの一部を切欠いた正面図、図２は図１のII−II線の拡大断面図である。
この布団バサミは、相対回動が可能な２つの腕部１０，２０の開放方向への回動を制限する手段として、固定歯４０及び該固定歯４０と接離する方向への移動が可能な可動歯５０を有する構成としたものである。
【００１９】
図中１０，２０は、夫々の基端部が枢軸３０にて回動可能に支持され、布団等の対象物を挟持するための一対の腕部である。夫々の腕部１０，２０は、前記基端部近傍で布団等を挟持する側を凹部となるよう互いに逆向きに湾曲した形状をなしていると共に、腕部２０の先端部は腕部１０側に突出して一方の挟持部２ａをなしている。なお、以下の説明では簡略のため、腕部１０，２０により布団等の対象物を挟持する向きを挟持方向、その逆を開放方向とし、腕部１０，２０における挟持方向側を内側、その逆を外側とし、腕部１０，２０の先端に対して基端部方向を上方、その逆を下方として説明する。
【００２０】
腕部１０の基端部は貫通孔１０ａを有する筒部１０ｂと、貫通孔１０ａの周りに凹設された環状凹部１０ｃとを備え、該環状凹部１０ｃに前記固定歯４０が固定されている。腕部１０の内側には、腕部１０と長手方向が一致して所定長を有する空洞の挟持部１ａが取り付けられている。また、腕部１０の先端部にはその長手方向が腕部１０の長手方向となるスリット１０ｄを有し、該スリット１０ｄに挿嵌された軸部材１０ｅを介して前記挟持部１ａが取り付けられている。
【００２１】
この固定歯４０は腕部１０と別個に形成されたもので、前記環状凹部１０ｃに嵌合される嵌合環部４０ａと、該嵌合環部４０ａの一側に突設されたラチェット歯形の複数の歯４０ｂとを有する。
【００２２】
他方の腕部２０の基端部は前記筒部１０ｂが嵌合される嵌合孔２０ａを有する嵌合筒部２０ｂと、該嵌合筒部２０ｂの周りに凹設された環状凹部２０ｃと、該環状凹部２０ｃの一側から腕部２０の長手方向へ凹設された凹部２０ｄとを備えている。前記環状凹部２０ｃには、前記固定歯４０と接離する方向への移動が可能な前記可動歯５０と、該可動歯５０を付勢する第１の弾性体６０と、該弾性体６０の付勢力に打ち勝って前記可動歯５０を移動させるレバー９０とが保持されている。また、凹部２０ｄには前記レバー９０の操作部９０ａ及びレバー９０を付勢する第２の弾性体７０が収容されている。
【００２３】
図３は可動歯の構成を示すもので、(a) は正面図、(b) は側面図である。
可動歯５０は前記嵌合筒部２０ｂの外周に相対回転ができないように嵌合される嵌合環部５０ａと、該嵌合環部５０ａの一側に突設されたラチェット歯形の複数の歯５０ｂと、該歯５０ｂよりも外周側の一側に周方向に離間して突設された３つの凸部５０ｃとを有しており、未挟持時にはコイルバネからなる前記弾性体６０の付勢力によって固定歯４０と噛合する方向へ付勢され、固定歯４０との噛合により、腕部１０，２０の相対回動を制限し、移動によって固定歯４０との噛合を解除することにより、腕部１０，２０の相対回動を可能にしている。凸部５０ｃは該凸部５０ｃに連なる傾斜面を介して設けられている。
【００２４】
図４はレバーの構成を示すもので、(a) は背面図、(b) は一部を切欠いた側面図である。
レバー９０は、前記可動歯５０の周りに回動可能に配置され、前記凸部５０ｃと係合する係合部９０ｂを有する環部９０ｃと、該環部９０ｃの一側に連なる前記操作部９０ａとを有している。係合部９０ｂは凸部５０ｃに対応する凹部からなり、未挟持時には係合部９０ｂと凸部５０ｃとが係合し、第１の弾性体６０によって可動歯５０が固定歯４０と噛合する位置へ移動しており、レバー９０の僅かな回動によって係合部９０ｂと凸部５０ｃとの係合が離脱し、環部９０ｃの非係合部と凸部５０ｃとの係合により第１の弾性体６０の付勢力に打ち勝って可動歯５０を移動させるようにしてある。
【００２５】
第２の弾性体７０はレバー９０と一体に成形された合成樹脂製の板片であり、その先端が前記凹部２０ｄの底面と当接し、操作部９０ａが押圧されることにより撓むようにしてある。
【００２６】
以上のように構成された布団バサミは、布団等の対象物の未挟持時には、レバー９０の係合部９０ｂと可動歯５０の凸部５０ｃとが係合し、第１の弾性体６０によって付勢されている可動歯５０が固定歯４０と噛合しており、２つの腕部１０，２０は相対回動が制限されている。
【００２７】
図５は可動歯の固定歯との噛合が解除された状態の説明図である。
対象物の挟持時には、第２の弾性体７０の付勢力に打ち勝ってレバー９０の操作部９０ａを片手の指で押圧するのであり、この押圧によってレバー９０が僅かに回動し、前記係合部９０ｂと凸部５０ｃとの係合が離脱するとともに、環部９０ｃの非係合部と凸部５０ｃとが係合し、第１の弾性体６０の付勢力に打ち勝って可動歯５０が移動し、該可動歯５０の固定歯４０との噛合が解除される。この結果、２つの腕部１０，２０を開放方向へ自由に回動させることができる。
【００２８】
この状態でレバー９０の操作を止めることにより、第２の弾性体７０の弾性復元力によってレバー９０が復帰し、前記した未挟持時と同様、レバー９０の係合部９０ｂと可動歯５０の凸部５０ｃとが係合し、第１の弾性体６０によって付勢されている可動歯５０が固定歯４０と噛合する。この状態で２つの腕部１０，２０を挟持方向へ相対回動させることにより、可動歯５０が固定歯４０に対して係脱しつつ相対回動し、対象物を容易に挟持することができる。このように対象物を挟持した状態で腕部１０，２０の操作を止めることにより、可動歯５０と固定歯４０との噛合状態が維持され、対象物の挟持状態を維持することができる。
【００２９】
また、対象物から布団バサミを取り外す場合は、前記レバー９０の操作部９０ａを押圧することにより、可動歯５０の固定歯４０との噛合が解除され、２つの腕部１０，２０を開放方向へ自由に回動させることができる。
【００３０】
本発明に係る布団バサミによれば、２つの腕部１０，２０による対象物の挟持状態を固定歯４０と可動歯５０との噛合によって維持することができるため、腕部１０，２０による挟持力が比較的大きくなる場合においても、挟持状態を維持する部分の破損を防ぐことができ、耐久性を高めることができる。
【００３１】
また、腕部２０に対して移動可能とした可動歯５０をレバー９０の押し操作で移動させるため、２つの腕部１０，２０と該腕部１０，２０が挟持した対象物との接触抵抗に関係なく可動歯５０を移動させることができ、比較的小さい操作力でレバー９０を操作することができる。さらに、このレバー９０の操作を止めたとき、第２の弾性体７０の弾性復元力によってレバー９０を自動的に復帰させることができるため、レバー９０を片手で押し操作するだけで対象物の挟持及び挟持解除が行え、操作性を向上できる。
【００３２】
尚、以上説明した実施の形態では、腕部１０に固定歯４０を設け、腕部２０に可動歯５０及びレバー９０を保持したが、その反対に、腕部２０に固定歯４０を設け、腕部１０に可動歯５０及びレバー９０を保持してもよい。また、レバー９０に係合部９０ｂを設け、可動歯５０に凸部５０ｃを設けたが、その反対に、レバー９０に凸部５０ｃを設け、可動歯５０に係合部９０ｂを設けてもよい。
また、固定歯４０と可動歯５０との一方は全周に亘って歯を設け、他方は複数の歯を設けた構成としてもよい。
【００３３】
【発明の効果】
第１発明及び第２発明に係る布団バサミによれば、腕部による対象物の挟持状態を固定歯と可動歯との噛合によって維持することができるため、腕部による挟持力が比較的大きくなる場合においても、挟持状態を維持する部分の破損を防ぐことができ、耐久性を高めることができる。しかも、レバーを操作することにより２つの腕部に対して可動歯を移動させ、該可動歯と固定歯との噛合を解除することができるため、２つの腕部と該腕部が挟持した対象物との接触抵抗に関係なく可動歯を移動させることができ、比較的小さい操作力でレバーを操作することができ、さらに、このレバーは第２の弾性体によって自動的に復帰させることができ、布団バサミの操作性を向上できる。
【００３４】
第３発明に係る布団バサミによれば、レバーの環部を２つの腕部と同軸的に配置でき、しかも、操作部は腕部の凹部に収容されるため、レバーの腕部に対する出っ張りをなくすることができ、レバーの他物との当接による破損をなくすることができる。
【００３５】
第４発明に係る布団バサミによれば、可動歯及び環部の一方に複数の凹部を有し、他方に複数の凸部を有する構造であるため、可動歯を移動させるための構造が簡単である。
【００３６】
第５発明に係る布団バサミによれば、レバーを組み込むことにより弾性板を所定の位置に配置することができるため、組立て作業性を向上でき、しかも、弾性板の脱落をなくすることができる。
【図面の簡単な説明】
【図１】  本発明に係る布団バサミの一部を切欠いた正面図である。
【図２】  図１のII−II線の拡大断面図である。
【図３】  本発明に係る布団バサミの可動歯の構成を示すもので、(a) は正面図、(b) は側面図である。
【図４】  本発明に係る布団バサミのレバーの構成を示すもので、(a) は背面図、(b) は一部を切欠いた側面図である。
【図５】  本発明に係る布団バサミの可動歯の固定歯との噛合が解除された状態の説明図である。
【符号の説明】
１０，２０  腕部
４０  固定歯
５０  可動歯
５０ｃ  凸部
６０  弾性体
７０  弾性板
９０  レバー
９０ａ  操作部
９０ｂ  係合部
【図１】
0003757190.tif 000002
【図２】
0003757190.tif 000003
【図３】
0003757190.tif 000004
【図４】
0003757190.tif 000005
【図５】
0003757190.tif 000006